(57)【要約】      （修正有）【課題】市販のエアーコンプレッサーや水用加圧ポンプあるいは上水道を使用して、被洗浄物の性質、形状より、空気圧と水量を調整して適切な洗浄条件が容易に選択でき、さらに被洗浄物を乾燥させることができる安価な洗浄器具を提供する。【解決手段】エアーコンプレッサーからの吐出空気を導入する吐出空気供給管２と加圧水を導入する水供給管３と、この吐出空気供給管からの吐出空気と水供給管からの加圧水とを合流させる空−水合流管４とその先端に付ける噴出ノズル４１とからなり、吐出空気供給管には吐出空気調整バルブ２１を、水供給管には水量調整バルブ３１をそれぞれ設け、吐出空気圧と加圧水圧の状態から、吐出空気調整バルブ及び水量調整バルブの開閉作業をしつつ、被洗浄物の材質、形状より、吐出空気、加水圧を調整しながら空気−水合流管を通り、噴出ノズルから水と空気を噴出させて被洗浄物を洗浄乾燥する圧力水量可変型洗浄乾燥器である。【選択図】図４
0003162605.tif 000002
【実用新案登録請求の範囲】
【請求項１】
エアーコンプレッサーからの吐出空気を導入する吐出空気供給管と、加圧水を導入する水供給管と、この吐出空気供給管からの吐出空気と水供給管からの加圧水とを合流させる空気-水合流管とその先端に付ける噴出ノズルとからなり、吐出空気供給管には吐出空気調整バルブを、水供給管には水量調整バルブをそれぞれ設け、吐出空気圧と加圧水圧の状態から、吐出空気調整バルブ及び水量調整バルブの開閉作業をしつつ、被洗浄物の材質、形状より、吐出空気、加水圧を調整しながら空気-水合流管を通り、噴出ノズルから水と空気を噴出させて被洗浄物を洗浄乾燥する圧力水量可変型洗浄乾燥器。
【請求項２】
吐出空気供給管と空気-水合流管とを直線状に連結させ、吐出空気供給管の下に、水供給管を取り付け、この水供給管を空気-水合流管の合流口に連結した請求項１の圧力水量可変型洗浄乾燥器。
【請求項３】
水供給管と空気-水合流管とを直線に連結させ、水供給管の下に吐出空気供給管を取り付け、この吐出空気供給管を空気-水合流管の合流口に連結した請求項１の圧力水量可変型洗浄乾燥器。
【請求項４】
空気-水合流管の合流口と噴出ノズルの間に開口部を設け、開閉バルブ付き洗剤用密閉容器をその開口部に取り付けた請求項１から請求項３のいずれかの圧力水量可変型洗浄乾燥器。
【請求項５】
吐出空気供給管または水供給管に開口部を設け、開閉バルブ付き洗剤用密閉容器をその開口部に取り付けた請求項１から請求項３のいずれかの圧力水量可変型洗浄乾燥器。
【請求項６】
吐出空気供給管、水供給管、空気-水合流管の全てに、あるいは、いずれか２つ、または、いずれか１つに洗浄作業用取手を付けた請求項１から請求項５の圧力水量可変型洗浄乾燥器。
【考案の詳細な説明】
【技術分野】
【０００１】
本考案は、被洗浄物の材質、形状等により、空気圧と水量を調整して適切な洗浄条件を選択し、被洗浄物を洗浄・乾燥することができる圧力水量可変型洗浄乾燥器に関する。
【背景技術】
【０００２】
被洗浄物には、材質として、金属、プラスチック、木材他各種あり、また部材や部品の形状も多種多様であるし、その汚れ方も多種多様である。こうした被洗浄物を洗浄するには、被洗浄物の材質、形状等及び被洗浄物に付着した汚れの種類等を考慮して洗浄作業を選択する必要がある。例えば、高圧洗浄機のように、約３Ｍｐa（メガパスカル）以上の高圧水圧で砂や埃を一気に洗い流す方法もあるが、被洗浄物が柔らかい材質では、こうした高圧では破損する場合もある。また、被洗浄物によっては、多くの水で洗浄することを嫌う場合もあり、その時には、微細粒子の少量の水で洗浄することが好まれる。しかし、市販の洗浄機等では、被洗浄物の性質、形状により、その都度、洗浄条件を変えて洗浄する例は少ない。
【０００３】
このような例として、以下のような先行技術がある。ノズルより放出される洗剤の起泡性を向上させて効果的な洗浄が行なえることを目的とし、洗浄水を高圧噴射する高圧ノズルと、圧縮空気を導入して発泡性の洗剤を低圧放出する低圧ノズルとを備え、各ノズルを使い分けて洗浄を行なうもの（特許文献１）、個々の洗浄ケースに対応して最適の洗浄方式を選択出来ることを目的として、ドライスクリュー圧縮機と、高温圧縮空気を噴出する第１の噴出手段と、温水を噴出する第２の噴出手段と、昇温水管路から分岐して吐出空気供給管路に合流する分岐管と、温水の流れを切り換える切換バルブとを含んだ洗浄装置（特許文献２）、単位時間あたりの水の噴出量を多くすることにより、リンスに要する時間、延いては洗浄時間を短くすることができることを目的として、スプレーガンとホースを介して接続されているエアーコンプレッサーと、上記スプレーガンに接続されている洗剤入り容器と、スプレーガンに接続されている水入り容器と、洗剤または水のいずれか一方をスプレーガンに導くためのミキシングアッセンブリーとを備えている洗浄装置（特許文献３）等がある。
【０００４】
上記特許文献１では、洗浄水の噴射圧を少なくとも２段階に分け、発泡性の洗剤を低圧放出させて起泡性を向上させる等の工夫がされている。同特許文献２では、吐出空気をつくるしドライスクリュー圧縮機の冷却水を洗浄水に使用するなどしてエネルギー効率を高めている。同特許文献３では、スプレーガン、エアーコンプレッサー、水入り容器、洗剤入り容器等をコンパクトにまとめ、エアコンの洗浄がしやすい構造としている。いずれも技術的に優れた特徴を有し、被洗浄物の形状等により洗浄条件を変えることができる。
【先行技術文献】
【特許文献】
【０００５】
【特許文献１】実開平５−８６７３２号公報
【特許文献２】特開平６−３１２５２号公報
【特許文献３】特開２００１２９３４４１号公報
【０００６】
しかし、上記各洗浄機器は、電磁弁、ドライスクリュー圧縮機等の部品を使用して製作するため、高価となっている。そこで、コンクリート工事やカッター工事を専門とする本考案者は、市販のエアーコンプレッサーや水用加圧ポンプあるいは水道水を使用して、被洗浄物の性質、形状より、空気圧と水量を調整して適切な洗浄条件が容易に選択でき、さらに被洗浄物を乾燥させることができる安価な洗浄器具がないかと模索していた。このような洗浄機器があれば使用済みの工具等をその現場で洗浄することも可能となる。そして試行錯誤の結果、以下のような洗浄物の性質、形状より、空気圧と水量を調整して適切な洗浄条件を選択して被洗浄物を洗浄・乾燥することができる圧力水量可変型洗浄乾燥器を考案するに至った。
【考案の概要】
【考案が解決しようとする課題】
【０００７】
解決しようとする課題は、市販のエアーコンプレッサーや水用加圧ポンプあるいは水道水を使用して、被洗浄物の性質、形状より、空気圧と水量を調整して適切な洗浄条件が容易に選択でき、さらに被洗浄物を乾燥させることができる安価な洗浄器具を提供するものである。
【課題を解決するための手段】
【０００８】
すなわち、第１の考案は、エアーコンプレッサーからの吐出空気を導入する吐出空気供給管と加圧水を導入する水供給管と、この吐出空気供給管からの吐出空気と水供給管からの加圧水とを合流させる空気-水合流管とその先端に付ける噴出ノズルとからなり、吐出空気供給管には吐出空気調整バルブを、水供給管には水量調整バルブをそれぞれ設け、吐出空気圧と加圧水圧の状態から、吐出空気調整バルブ及び水量調整バルブの開閉作業をしつつ、被洗浄物の材質、形状より、吐出空気、加水圧を調整しながら、空気-水合流管を通り、噴出ノズルから水と空気を噴出させて被洗浄物を洗浄乾燥する圧力水量可変型洗浄乾燥器である。
【０００９】
エアーコンプレッサーは、制御圧力０．８〜２．０Ｍｐａ、吐出空気量２０〜６０Liter／ｍｉｎ．程度の一般的な市販品のもので足りる。ただし、制御圧力や吐出空気量はこの数値に限られるものではない。加圧水とは、水用加圧ポンプにより加圧され、あるいは高低差により流動可能あるいは流動している水をいい、上水道も含まれる。水用加圧ポンプとは水を加圧して流動を生じさせるポンプをいい、加圧方式等は問わない。
【００１０】
エアーコンプレッサーからの吐出空気と加圧水とを混合させ、この吐出空気の圧力と加圧水の圧力を合わせた圧力で、空気-水合流管を通り噴出ノズルから、水を被洗浄物に噴射して洗浄する。エアーコンプレッサーからの吐出空気及び加圧水の圧力は、エアコンプレッサーや水用加圧ポンプ等により異なってくる。そこで、被洗浄物の材質、形状により吐出空気調整バルブや水量調整バルブで吐出空気量、加圧水量を調整し、被洗浄物の材質、形状に適わせた洗浄条件を選択し洗浄する。このとき、吐出空気調整バルブを閉じれば、加圧水だけで洗浄することになり、吐出空気調整バルブを開け、水量調整バルブを閉じれば、吐出空気だけが噴出し、乾燥器としての機能を果たすことになる。なお、空気-水合流管の一端には噴出ノズルが付けられ、他の一端は、吐出空気と加圧水が合流する合流口となる。また、空気-水合流管は吐出空気供給管や水供給管と一体的に成形される場合もあるが、吐出空気と加圧水が混合して流動する管を空気-水合流管とする。
【００１１】
吐出空気調整バルブや水量調整バルブの調整により、噴出ノズルから噴出される水の状態が変化する。例えば吐出空気量を多くして、加圧水量を少なくすれば、噴出される水は、微細粒子となる。このようにして被洗浄物により洗浄水の状態を変化させて洗浄することも可能である。
なお、吐出空気、加圧水の流動する方向を前方とし、反対方向を後方とし、前方の端部を先端、後方の端部を後端とする。
【００１２】
続いて、第２の考案は、吐出空気供給管と空気-水合流管とを直線状に連結させ、吐出空気供給管の下に、水供給管を取り付け、この水供給管を空気-水合流管の合流口に連結した第１の考案の圧力水量可変型洗浄乾燥器である。
【００１３】
吐出空気供給管の後端はエアーコンプレッサーにつながる耐圧ホースが付けられ、前端は水供給管を空気-水合流管の合流口に連結されている。また水供給管の後端は、水用加圧ポンプ、上水道栓等につながる水用ホースが付けられ、前端は空気-水合流管の合流口に連結されている。吐出空気供給管の下に水供給管を取り付け、圧力水量可変型洗浄乾燥器を小型化し、空気調整バルブや水量調整バルブの開閉作業、及び洗浄作業をし易くするものである。
【００１４】
続いて、第３の考案は、水供給管と空気-水合流管とを直線状に連結させ、水供給管の下に吐出空気供給管を取り付け、この吐出空気供給管を空気-水合流管の合流口に連結した第１の考案の圧力水量可変型洗浄乾燥器である。
【００１５】
第２の考案とは反対に、水供給管の下に吐出空気供給管を取り付けた圧力水量可変型洗浄乾燥器である。エアーコンプレッサーからの吐出空気や加圧水の状態によっては、水供給管の下方から吐出空気を合流させた方がよい場合があるためである。
なお、第２の考案において、エアーコンプレッサーからの耐圧ホースを吐出空気供給管の下の水供給管に取り付け、水用加圧ポンプ、上水道栓等につながる水用耐圧ホースを吐出空気供給管につなぐことができれば、第３の考案となる。
【００１６】
続いて、第４の考案は、空気-水合流管の合流口と噴出ノズルの間に開口部を設け、開閉バルブ付き洗剤用密閉容器をその開口部に取り付けた第１の考案から第３の考案のいずれかの圧力水量可変型洗浄乾燥器である。
【００１７】
噴出ノズルから噴出される水に洗剤が溶解している方が、洗浄効果が向上する場合がある。そこで、空気-水合流管の合流口と噴出ノズルの間に開口部を設け、開閉バルブ付き洗剤用密閉容器をその開口部に取り付ける。開閉バルブを開いたとき、洗剤は空気-水合流管に流下し、吐出空気、水とともに前方に送られ噴出ノズルより被洗浄物に噴射される。開閉バルブ付きとしたのは、洗剤を必要としない洗浄もあるためである。密閉容器としたのは、開口部がある開放容器では吐出空気や加圧水が、開口部を通じて逃げてしまうからである。密閉容器としているため、吐出空気や加圧水の圧力が密閉容器内部にかかり洗剤が空気-水合流管に流れ落ちることになる。密閉容器としては、蓋をネジ式として密閉する方法等があるが、これに限るものではない。
【００１８】
続いて第５の考案は、吐出空気供給管または水供給管に開口部を設け、開閉バルブ付き洗剤用密閉容器をその開口部に取り付けた第１の考案から第３の考案のいずれかの圧力水量可変型洗浄乾燥器である。
【００１９】
開閉バルブ付き洗剤用密閉容器は、必ずしも空気-水合流管に付ける必要はなく、吐出空気供給管または水供給管に付けても同様の機能を果たすことができる。圧力水量可変型洗浄乾燥器の構造によっては、開閉バルブ付き洗剤用密閉容器が空気-水合流管ではなく吐出空気供給管または水供給管に付けられる場合もある。
【００２０】
続いて第６の考案は、吐出空気供給管、水供給管、空気-水合流管の全てに、あるいは、いずれか２つ、または、いずれか１つに洗浄作業用取手を付けた第１の考案から第５の考案の圧力水量可変型洗浄乾燥器である。
【００２１】
本考案の圧力水量可変型洗浄乾燥器は基本的には金属製で重量があり、また片手での操作は困難である。したがって、作業用取手を付けることにより洗浄作業が行いやすくなる。洗浄用取手は、圧力水量可変型洗浄乾燥器の構造により、吐出空気供給管、水供給管、空気-水合流管の全て、あるいは、いずれか２つ、または、いずれか１つに任意に付けるものである。
【図面の簡単な説明】
【００２２】
【図１】図１は、圧力水量可変型洗浄乾燥器の基本図である。
【図２】図２は第１と第２の考案の概略図である。
【図３】図３は、第１の考案に開閉バルブ付き洗剤用密閉容器と作業用取手を付けた圧力水量可変型洗浄乾燥器である。
【図４】図４は、試作品の写真である。
【図５】図５は、試作品を使用している写真である。
【考案を実施するための形態】
【００２３】
本考案の実施例を以下に示す。
【実施例】
【００２４】
図１は、本考案の基本図である。エアーコンプレッサー５から出た吐出空気５１は、耐圧ホース５２を通り、吐出空気供給管２に導入される。水用加圧ポンプ３３により加圧された加圧水は、水供給管３に流入される。吐出空気調整バルブ２１により調整された吐出空気５１と水量調整バルブ３１により調製された加圧水３５は、空気-水合流口４２で混合され、空気-水合流管４を通り、噴出ノズルより被洗浄物７に向かい噴射される。
【００２５】
図２は第２の考案と第３の考案の概略図である。図２（Ａ）は、吐出空気供給管２と空気-水合流管４とが合流口４２を介して直線状に連結されている。吐出空気供給管２を上にして水供給管３が平行に配置され、その水供給管３が略直角に曲げられて、合流口４２に連結されている。図２（Ｂ）は、水供給管３と空気-水合流管４とが合流口４２を介して直線上に連結され、水供給管３を上にして吐出空気供給管２が平行に配置され、その吐出空気供給管２が略直角に曲げられて合流口４２に連結されている。
エアーコンプレッサーや加圧水の状態によって（Ａ）あるいは（Ｂ）の構造のいずれかを選択できるものである。
なお、各管と各ホースの径が同じであれば、図２（Ａ）において吐出空気供給管２に水用ホース３２を、水供給管３に耐圧ホース５２を差し替えれば（Ｂ）の状態になる。
【００２６】
図３は、第２の考案に開閉バルブ付き洗剤用密閉容器６と作業用取手８を付けた圧力水量可変型洗浄乾燥器である。開閉バルブ付き洗剤用密閉容器６は、空気-水合流管４に付けられている。また作業用取手８は、吐出空気供給管２と水供給管３の間に溶接して付けられている。
なお、開閉バルブ付き洗剤用密閉容器６は、空気-水合流管４だけではなく、第５の考案のように、吐出空気供給管２または水供給管３にも取り付けることができる。密閉の容器であるため、吐出空気や加圧水の圧力で流下するためである。
【００２７】
図４は試作品の写真である。吐出空気供給管２と空気-水合流管４とが合流口４２を介して直線上に連結され、水供給管３は、吐出空気供給管２の下に平行に配置され、略直角に曲げられて合流口４２と連結されている。開閉バルブ付き洗剤用密閉容器６は、空気-水合流管４に付けられ、作業用取手８も、空気-水合流管４に付けられている。なお、水用ホース３２と耐圧ホース５２はさらに延長されて、それぞれ水用加圧ポンプやエアーコンプレッサーにつながれる。
【００２８】
図５は、試作品を使用している写真である。加圧水としては上水道を使用し、水用ホース３２は、水道水の蛇口につながっている。吐出空気調整バルブ２１や水量調整バルブ３２を調整することにより、吐出する水量だけでなく、突出する水の状態例えば水粒子の大きさ等も変化させることができ、各種の被洗浄物の対応できる。
【産業上の利用可能性】
【００２９】
金属パイプと調整バルブがあれば、製造できる比較的簡単な構造であり、製造単価も安価にできる。被洗浄物の材質や形状等により洗浄条件を選択でき、洗剤も任意に使用することができる。さらには乾燥機としても使用でき、使用済みの工具等を現場で洗浄できるものである。こうしたことから、需要が期待できる。
【符号の説明】
【００３０】
１    圧力水量可変型洗浄乾燥器
２    吐出空気供給管    ２１吐出空気調整バルブ
３    水供給管    ３１  水量調整バルブ  ３２  水用ホース  ３３  水用加圧ポンプ  ３４  水槽    ３５  加圧水
４    空気-水合流管  ４１  噴出ノズル  ４２  合流口
５    エアーコンプレッサー  ５１  吐出空気  ５２  耐圧ホース
６    開閉バルブ付き洗剤用密閉容器  ６１  開閉バルブ付き洗剤用密閉容器の開栓バルブ
７    被洗浄物
８    作業用取手
【図１】
0003162605.tif 000003
【図２】
0003162605.tif 000004
【図３】
0003162605.tif 000005
【図４】
0003162605.tif 000006
【図５】
0003162605.tif 000007